(57)【要約】【課題】乾燥運転モード時に生じるロスタイムを最小限に抑える。【解決手段】吸込口３２、吹出口３３、排気口２１を有する本体ケース１１と、吸込口３２から吸い込んだ浴室空気を吹出口３３と排気口２１に向かって吐出するファン１８と、ファン１８から吐出された浴室空気を吹出口３３や排気口２１に送出するダンパー２７と、吹出口３３を通る空気を加熱するヒータ２８と、浴室内の温度が所定温度以上になったとき、ヒータ２８への通電を停止する制御回路基板３４とを備え、制御回路基板３４は、ファン１８から吐出された浴室空気を吹出口３３と排気口２１とに交互に送出する乾燥運転モードにおいて、吹出口３３側へ浴室空気を送出している最中にヒータ２８への通電を停止したとき、ダンパー２７を制御することにより、ファン１８から吐出された浴室空気を排気口２１に送出する換気運転モードに一定時間だけ切り換える。【選択図】        図１
2004301481.tif 000002
【特許請求の範囲】
【請求項１】
浴室内に向けて吸込口および吹出口が形成され、かつ排気口が設けられた本体と、
前記本体内に設置され前記吸込口から吸い込んだ浴室空気を前記吹出口および前記排気口に向かって吐出するファンと、
前記ファンを回転駆動する駆動手段と、
前記ファンの後流側に設けられ、ファンから吐出された浴室空気を前記吹出口に送出したり、前記排気口に送出したりするダンパーと、
前記吹出口に設けられ、通電により発熱して、吹出口を通る空気を加熱するヒータと、
浴室内の温度を検出し、その検出温度が所定温度以上になったとき、前記ヒータへの通電を停止する制御手段とを備え、
前記制御手段は、ファンから吐出された浴室空気を前記吹出口と前記排気口とに交互に送出する乾燥運転モードにおいて、吹出口側へ浴室空気を送出している最中に前記ヒータへの通電を停止したとき、前記ダンパーを制御することにより、ファンから吐出された浴室空気を排気口に送出する換気運転モードに一定時間だけ切り換えることを特徴とする浴室換気乾燥装置。
【請求項２】
浴室内に向けて吸込口および吹出口が形成され、かつ排気口が設けられた本体と、
前記本体内に設置され前記吸込口から吸い込んだ浴室空気を前記吹出口および前記排気口に向かって吐出するファンと、
前記ファンを回転駆動する駆動手段と、
前記ファンの後流側に設けられ、ファンから吐出された浴室空気を前記吹出口側に送出したり、前記排気口に送出したりするダンパーと、
前記吹出口に設けられ、通電により発熱して、吹出口を通る空気を加熱するヒータと、
浴室内の温度を検出し、その検出温度が所定温度以上になったとき、前記ヒータへの通電を停止する制御手段とを備え、
前記制御手段は、ファンから吐出された浴室空気を前記吹出口と前記排気口とに交互に送出する乾燥運転モードにおいて、吹出口側へ浴室空気を送出している最中に前記ヒータへの通電を停止したとき、前記ダンパーを制御することにより、浴室空気が前記所定温度より低い温度になるまで、ファンから吐出された浴室空気を排気口に送出する換気運転モードに切り換えることを特徴とする浴室換気乾燥装置。
【請求項３】
浴室内に向けて吸込口および吹出口が形成され、かつ排気口が設けられた本体と、
前記本体内に設置され前記吸込口から吸い込んだ浴室空気を前記吹出口および前記排気口に向かって吐出するファンと、
前記ファンを回転駆動する駆動手段と、
前記ファンの後流側に設けられ、ファンから吐出された浴室空気を前記吹出口側に送出したり、前記排気口に送出したりするダンパーと、
前記吹出口に設けられ、通電により発熱して、吹出口を通る空気を加熱するヒータと、
浴室内の温度を検出し、その検出温度が所定温度以上になったとき、前記ヒータへの通電を停止する制御手段とを備え、
前記制御手段は、ファンから吐出された浴室空気を分流させて前記吹出口および前記排気口に送出する乾燥運転モードにおいて、前記ヒータへの通電を停止したとき、前記ダンパーを制御することにより、ファンから吐出された浴室空気を排気口に送出する換気運転モードに一定時間だけ切り換えることを特徴とする浴室換気乾燥装置。
【請求項４】
浴室内に向けて吸込口および吹出口が形成され、かつ排気口が設けられた本体と、
前記本体内に設置され前記吸込口から吸い込んだ浴室空気を前記吹出口および排気口に向かって吐出するファンと、
前記ファンを回転駆動する駆動手段と、
前記ファンの後流側に設けられ、ファンから吐出された浴室空気を前記吹出口側に送出したり、前記排気口に送出したりするダンパーと、
前記吹出口に設けられ、通電により発熱して、吹出口を通る空気を加熱するヒータと、
浴室内の温度を検出し、その検出温度が所定温度以上になったとき、前記ヒータへの通電を停止する制御手段とを備え、
前記制御手段は、ファンから吐出された浴室の空気を分流させて前記吹出口および前記排気口に送出する乾燥運転モードにおいて、前記ヒータへの通電を停止したとき、前記ダンパーを制御することにより、浴室の空気が前記所定温度より低い温度になるまで、ファンから吐出された浴室空気を排気口に送出する換気運転モードに切り換えることを特徴とする浴室換気乾燥装置。
【請求項５】
請求項１又は３に記載の浴室換気乾燥装置において、
前記制御手段は、浴室の床面積、高さ、容積等のサイズデータまたはそれに対応する所定条件が設定される設定部を有することを特徴とする浴室換気乾燥装置。
【発明の詳細な説明】
【０００１】
【発明の属する技術分野】
本発明は、室内の天井部もしくは壁部の開口部に挿入して取り付けられ、暖房、換気、乾燥、涼風等の機能を少なくとも一つ有する浴室換気乾燥装置に関する。
【０００２】
【従来の技術】
一般に浴室換気乾燥装置は、その本体に吸込口、吹出口および排気口が形成され、また本体内には、モータによって回転駆動され、吸込口から吸い込んだ浴室空気を吹出口および排気口に向かって吐出するファンが設けられている。ファンの後流側にはダンパーが設けられ、このダンパーはファンから吐出された浴室空気を吹出口に送出したり、排気口に送出したりする。そして、吹出口からは循環空気として浴室内に供給され、また排気口を介して外気中に排気空気として排出される。また、吹出口にはヒータが設けられ、このヒータは通電により発熱し、吹出口を通る空気を加熱する。
【０００３】
このような浴室換気乾燥装置には、通常、暖房運転モード、換気運転モード、乾燥運転モード、および涼風運転モードが用意されており、ダンパーの角度を制御することにより、各運転モードを任意に設定することができる（例えば、特許文献１参照）。
【０００４】
暖房運転モードでは、図１０に示すように、ダンパー１により吹出口２を開き排気口３を閉じて、ファン（図示省略）から吐出された浴室空気のすべてを図の破線矢印のように吹出口２側へ送出し、ヒータ４で加熱しながら浴室内を循環させる。換気運転モードでは、図１１に示すように、ダンパー１により吹出口２を閉じ排気口３を開いて、ファン（図示省略）から吐出された浴室空気のすべてを図の破線矢印のように排気口３側へ送出し、建物の外の外気中へ排出する。
【０００５】
乾燥運転モードでは、図１２に示すように、ダンパー１を暖房運転モードと換気運転モードの中間位置に配置して、ファン（図示省略）から吐出された浴室空気を図の破線矢印のように吹出口２側と排気口３側とに分流させることにより、浴室空気の一部をヒータ４で暖めてから浴室１２内に循環させるとともに、水分を含んだ浴室空気を外部へ排出する。この乾燥運転モードは吹出口２側と排気口３側とに浴室空気を分流させており、分流方式の乾燥運転モードと呼ばれている。
【０００６】
また、ダンパー１を暖房運転モードと換気運転モードの中間位置に配置せず、図１０に示した状態（暖房運転モード）と図１１に示した状態（換気運転モード）とが交互に繰り返されるようダンパー１の位置を切り換えて、ファンから吐出された浴室空気を吹出口２側と排気口３側とに間欠的に送出する、いわゆる間欠換気方式の乾燥運転モードも考えられている。
【０００７】
涼風運転モードでは、ダンパー１の操作は暖房運転モードと同じであるが、ヒータ４への通電をせずに涼しい空気を浴室内に循環させる。
【０００８】
ところで、浴室換気乾燥装置においては、乾燥運転モード時に、ヒータに通電したままであると浴室内の温度が上昇しすぎることがある。
【０００９】
そこで、従来の浴室換気乾燥装置には、浴室内の温度または吹出口からの吹出空気の温度を検出し、その検出温度が所定温度以上になったとき、ヒータへの通電を停止し、検出温度が所定温度未満になったら、ヒータへの通電を再開する安全機能が設けられている。
【００１０】
【特許文献１】
特開平７−１７１２９９号公報
【００１１】
【発明が解決しようとする課題】
しかしながら、上記従来の浴室換気乾燥装置では、乾燥運転モードの場合、分流方式でも間欠換気方式でも、浴室温度センサの検出温度によるヒータへの通電を停止する温度と、ヒータへ通電する温度との間にはある一定の温度差を設けてチャタリングを防止している。そのため、ヒータへの通電を停止しても、浴室内の温度が所定温度に下がるまである程度の時間を要する。分流方式の乾燥運転モードの場合、ヒータへの通電を停止したときは、ダンパーは暖房運転モードと換気運転モードの中間位置に配置されたままであるから、排気口から外気中へ排出される空気量つまり浴室内の換気量はあまり多くなく、浴室内の温度が所定温度に下がるのに時間が掛かる。その結果、ヒータへの通電が再開されるまでただ待っているという状態が長く続き、衣類等を乾燥させる際にロスタイムが生じるという問題がある。
【００１２】
また、間欠換気方式の乾燥運転モードの場合も、ヒータへの通電を停止したときは、ダンパーは吹出口を開いて排気口を閉じるため、浴室内の空気は外気中へ排出されず浴室内を単に循環するだけでとなり、浴室内の温度が所定温度に下がるのに時間が掛かる。その結果、同様に衣類等を乾燥させる際にロスタイムが生じる。
【００１３】
本発明の課題は、乾燥運転時に生じるロスタイムを最小限に抑えることのできる浴室換気乾燥装置を提供することにある。
【００１４】
【課題を解決するための手段】
上記課題を解決するために、請求項１に記載の発明は、浴室内に向けて吸込口および吹出口が形成され、かつ排気口が設けられた本体と、前記本体内に設置され前記吸込口から吸い込んだ浴室空気を前記吹出口および前記排気口に向かって吐出するファンと、前記ファンを回転駆動する駆動手段と、前記ファンの後流側に設けられ、ファンから吐出された浴室空気を前記吹出口に送出したり、前記排気口に送出したりするダンパーと、前記吹出口に設けられ、通電により発熱して、吹出口を通る空気を加熱するヒータと、浴室内の温度を検出し、その検出温度が所定温度以上になったとき、前記ヒータへの通電を停止する制御手段とを備え、前記制御手段は、ファンから吐出された浴室空気を前記吹出口と前記排気口とに交互に送出する乾燥運転モードにおいて、吹出口側へ浴室空気を送出している最中に前記ヒータへの通電を停止したとき、前記ダンパーを制御することにより、ファンから吐出された浴室空気を排気口に送出する換気運転モードに一定時間だけ切り換えることを特徴としている。
【００１５】
上記構成によれば、乾燥運転モードにおいて安全機能が作動してヒータへの通電を停止したとき、ファンから吐出された浴室の空気は一定時間だけ排気口に送出されるので、換気量が多くなって、浴室内の温度を速やかに下げることができ、浴室内湿度も下げることができる。その結果、ヒータへの通電が比較的早く再開され、衣類等を乾燥させる際のロスタイムを最小限に抑えることができる。
【００１６】
請求項２に記載の発明は、浴室内に向けて吸込口および吹出口が形成され、かつ排気口が設けられた本体と、前記本体内に設置され前記吸込口から吸い込んだ浴室空気を前記吹出口および前記排気口に向かって吐出するファンと、前記ファンを回転駆動する駆動手段と、前記ファンの後流側に設けられ、ファンから吐出された浴室空気を前記吹出口側に送出したり、前記排気口に送出したりするダンパーと、前記吹出口に設けられ、通電により発熱して、吹出口を通る空気を加熱するヒータと、浴室内の温度を検出し、その検出温度が所定温度以上になったとき、前記ヒータへの通電を停止する制御手段とを備え、前記制御手段は、ファンから吐出された浴室空気を前記吹出口と前記排気口とに交互に送出する乾燥運転モードにおいて、吹出口側へ浴室空気を送出している最中に前記ヒータへの通電を停止したとき、前記ダンパーを制御することにより、浴室空気が前記所定温度より低い温度になるまで、ファンから吐出された浴室空気を排気口に送出する換気運転モードに切り換えることを特徴としている。
【００１７】
上記構成によれば、乾燥運転モードにおいて安全機能が作動してヒータへの通電を停止したとき、浴室の空気が所定温度より低い温度になるまで、ファンから吐出された浴室の空気が排気口に送出されるので、換気量が多くなって、浴室内の温度を速やかに下げることができ、浴室内湿度も下げることができる。その結果、ヒータへの通電が比較的早く再開され、衣類等を乾燥させる際のロスタイムを少なくできる。
【００１８】
請求項１と請求項２は、ファンから吐出された浴室空気を吹出口と排気口とに交互に送出する、いわゆる間欠換気方式の乾燥運転モードについての発明であるが、以下の請求項３と請求項４は、ファンから吐出された浴室空気を分流させて吹出口および排気口に送出する、いわゆる分流方式の乾燥運転モードについての発明である。
【００１９】
すなわち、請求項３に記載の発明は、浴室内に向けて吸込口および吹出口が形成され、かつ排気口が設けられた本体と、前記本体内に設置され前記吸込口から吸い込んだ浴室空気を前記吹出口および前記排気口に向かって吐出するファンと、前記ファンを回転駆動する駆動手段と、前記ファンの後流側に設けられ、ファンから吐出された浴室空気を前記吹出口側に送出したり、前記排気口に送出したりするダンパーと、前記吹出口に設けられ、通電により発熱して、吹出口を通る空気を加熱するヒータと、浴室内の温度を検出し、その検出温度が所定温度以上になったとき、前記ヒータへの通電を停止する制御手段とを備え、前記制御手段は、ファンから吐出された浴室空気を分流させて前記吹出口および前記排気口に送出する乾燥運転モードにおいて、前記ヒータへの通電を停止したとき、前記ダンパーを制御することにより、ファンから吐出された浴室空気を排気口に送出する換気運転モードに一定時間だけ切り換えることを特徴としている。
【００２０】
上記構成によれば、乾燥運転モードにおいて安全機能が作動してヒータへの通電を停止したとき、請求項１と同様に、ファンから吐出された浴室空気は一定時間だけ排気口に送出されるので、換気量が多くなって、浴室内の温度を速やかに下げることができ、浴室内湿度も下げることができる。その結果、ヒータへの通電が比較的早く再開され、衣類等を乾燥させる際のロスタイムを少なくできる。
【００２１】
請求項４に記載の発明は、浴室内に向けて吸込口および吹出口が形成され、かつ排気口が設けられた本体と、前記本体内に設置され前記吸込口から吸い込んだ浴室空気を前記吹出口および排気口に向かって吐出するファンと、前記ファンを回転駆動する駆動手段と、前記ファンの後流側に設けられ、ファンから吐出された浴室空気を前記吹出口側に送出したり、前記排気口に送出したりするダンパーと、前記吹出口に設けられ、通電により発熱して、吹出口を通る空気を加熱するヒータと、浴室内の温度を検出し、その検出温度が所定温度以上になったとき、前記ヒータへの通電を停止する制御手段とを備え、前記制御手段は、ファンから吐出された浴室の空気を分流させて前記吹出口および前記排気口に送出する乾燥運転モードにおいて、前記ヒータへの通電を停止したとき、前記ダンパーを制御することにより、浴室の空気が前記所定温度より低い温度になるまで、ファンから吐出された浴室空気を排気口に送出する換気運転モードに切り換えることを特徴としている。
【００２２】
上記構成によれば、乾燥運転モードにおいて安全機能が作動してヒータへの通電を停止したとき、請求項２と同様に、浴室内の温度が所定温度より低い温度になるまで、ファンから吐出された浴室空気が排気口に送出されるので、換気量が多くなって、浴室内の温度を速やかに下げることができ、浴室内湿度も下げることができる。その結果、ヒータへの通電が比較的早く再開され、衣類等を乾燥させる際のロスタイムを少なくできる。
【００２３】
また、請求項５に記載の発明は、請求項１又は３において、前記制御手段は、浴室の床面積、高さ、容積等のサイズデータまたはそれに対応する所定条件が設定される設定部を有することを特徴としている。このようにすれば、浴室の床面積、高さ、容積等のサイズデータまたはそれに対応する所定条件を設定部に予め設定しておくことで、ファンから送出された浴室空気を排気口側へ排出するための一定時間を、浴室のサイズに適した値に自動的に設定することができる。
【００２４】
【発明の実施の形態】
以下、本発明の実施の形態を図面に従って説明する。
（実施の形態１）
図１は本発明に係る浴室換気乾燥装置１０を示したものである。この浴室換気乾燥装置１０は外側に金属製ボックスからなる本体ケース１１を有し、この本体ケース１１は浴室１２の天井部１３に設けられた開口部１４に挿入される。本体ケース１１の両側面には上部が逆Ｌ字状に折り曲げられたアンカーステイ１５が取り付けられている。アンカーステイ１５の上部逆Ｌ字状の部分には、階上のフロアとの仕切壁１６に設けられるアンカーボルト１７が挿通され、このアンカーボルト１７によって本体ケース１１は仕切壁１６に固定されている。
【００２５】
本体ケース１１の内部には、円筒形状をなす遠心式の吸引ファン１８が配設されている。吸引ファン１８はファンケース１９内に収容され、吸引ファン１８で吸引された浴室１２の空気はファンケース１９によって送風路２０に導かれる。送風路２０は、本体ケース１１に形成された排気口２１を介して排気風路２２、および浴室１２に空気を送る循環風路２３に繋がっている。
【００２６】
ファンケース１９には、吸引ファン１８の回転中心軸に対応してベルマウス２４が形成され、浴室１２内の空気はベルマウス２４を介して吸引ファン１８に導入される。また、吸引ファン１８は、本体ケース１１の上部壁１１Ａに設けられたファンモータ２５の出力軸に連結され、ファンモータ２５によって回転駆動される。
【００２７】
送風路２０には、支軸２６を中心にして矢印Ａ方向に回動自在なダンパー２７が設けられている。このダンパー２７は図示していないモータによって駆動され、図の実線のように排気風路２２側に立ち上がると、排気風路２２が遮断されて、送風路２０と循環風路２３とが連通する。また、ダンパー２７が図の二点鎖線のように循環風路２３側の開口縁部に倒れると、循環風路２３が遮断されて、送風路２０と排気風路２２とが連通する。循環風路２３にはヒータ２８が設けられている。ヒータ２８はその表面に多数のフィンを有し、循環風路２３を通る空気を暖めることができる。
【００２８】
本体ケース１１の排気口２１の外側縁部にはダクトジョイント２９が配設され、ダクトジョイント２９には建物の外側に通じるダクト３０が接続されている。また、本体ケース１１にはフロントパネル３１が浴室１２内に露出して設けられ、本体ケース１１と天井部１３の開口部１４の内縁部は、フロントパネル３１によって隠され、浴室１２側からは見えないようになっている。フロントパネル３１は表面がきれいに仕上げられ、化粧板としての役割を持っている。
【００２９】
フロントパネル３１には、ベルマウス２４に対向して吸込口３２が、ヒータ２８に対向して吹出口３３がそれぞれ形成されている。なお、図示してないが、吸込口３２には吸込みグリルが、吹出口３３には吹出しグリルがそれぞれ設けられている。
【００３０】
本体ケース１１の上部壁１１Ａの上面には、制御手段としての制御回路基板３４が設けられ、ダンパー２７の動作は制御回路基板３４により制御される。制御回路基板３４には、浴室内１２の温度を検出するサーミスタ等の温度センサ３５が接続されている。この温度センサ３５は本体ケース１１内部のベルマウス２４付近に設けられている。また、制御回路基板３４は金属製のカバー３６で覆われている。なお、温度センサ３５を本体ケース１１内に設けず、浴室１２内に設ける構成でもよく、浴室１２内の温度を直接若しくは間接的に検出できるようになっていればよい。
【００３１】
制御回路基板３４には、乾燥運転モードの際に、温度センサ３５からの検出温度データを取り込んで、検出温度データが所定温度以上である場合、ヒータ２８への通電を停止する安全機能が組み込まれている。また、制御回路基板３４には電気的に設定部３７が接続されている。この設定部３７には、浴室１２の床面積、高さ、容積等のサイズデータまたはそれに対応する所定条件が設定される。
【００３２】
次に、上記構成の浴室換気乾燥装置の乾燥運転モード時における動作について説明する。
【００３３】
本実施の形態の浴室換気乾燥装置には間欠換気方式の乾燥運転モードの機能が組み込まれており、乾燥運転モード時にはダンパー２７は、図１の実線で示した位置（暖房運転モード時のダンパー２７の位置であり、ダンパー位置Ａ１とする）と、二点鎖線で示した位置（換気運転モードのダンパー２７の位置であり、ダンパー位置Ａ２とする）との位置に配置される。
【００３４】
乾燥運転モード時における動作を図２および図３に示す。先ず、運転タイマを設定し（ステップＳ１）、ファンモータ２５を回転させて吸引ファン１８を回転駆動させる（ステップＳ２）。さらに、暖房運転のタイマｔ１を初期化するとともにスタートさせる（ステップＳ３）。
【００３５】
次に、ダンパー２７をダンパー位置Ａ１に設定し（ステップＳ４）、ヒータ２８に通電する（ステップＳ５）。これにより暖房運転が実行され、浴室空気は吸引ファン１８によってフロントパネル３１の吸込口３２から本体ケース１１内に吸い込まれ、送風路２０および循環風路２３を通って、さらにヒータ２８で暖められた後に、吹出口３３から浴室１２内に送られる。本実施の形態では暖房運転は３０分間実行される（ステップＳ６）。
【００３６】
暖房運転が終了すると、換気運転に入る。先ず、換気運転のタイマｔ２を初期化するとともにスタートさせる（ステップＳ７）。換気運転ではヒータ２８への通電を停止して（ステップＳ８）、さらにダンパー２７をダンパー位置Ａ２に設定する（ステップＳ９）。これにより、吸引ファン１８によって本体ケース１１内に吸い込まれ浴室空気は、送風路２０および排気風路２２を通り、さらにダクト３０を介して建物の外の外気中へ排出される。本実施の形態では換気運転は２分間実行される（ステップＳ１０）。
【００３７】
暖房運転と換気運転は、ステップＳ１で設定した運転タイマが終了するまで交互に繰り返し実行される（ステップＳ１１）。
【００３８】
暖房運転と換気運転を交互に繰り返し実行すると、浴室１２内の温度が徐々に上昇して所定温度以上になるので、この場合はヒータ２８への通電を停止する必要がある。本実施の形態では、暖房運転時に吸込口３２での浴室空気の温度が５０℃以上になったか否かを検出して（ステップＳ１２）、ヒータ２８への通電を制御している。吸込み空気の温度が５０℃以上のときは、タイマｔ３を初期化するとともにスタートさせる（ステップＳ１３）。さらに、ヒータ２８への通電を停止して（ステップＳ１４）、ダンパー２７をダンパー位置Ａ２に設定する（ステップＳ１５）。これにより、吸引ファン１８によって本体ケース１１内に吸い込まれ浴室空気は、送風路２０および排気風路２２を通り、さらにダクト３０を介して建物の外の外気中へ排出されるため、浴室１２内の温度を速やかに下げることができ、浴室１２内の湿度を下げることができる。ヒータ２８への通電停止を２分間実行し（ステップＳ１６）、その後に、処理はステップＳ１１に進む。
【００３９】
ステップＳ１１において運転タイマが終了と判断したときは、ダンパー２７をダンパー位置Ａ１に設定し（ステップＳ１７）、ファンモータ２５を停止して吸引ファン１８の回転を停止させる（ステップＳ１８）。
【００４０】
本実施の形態によれば、乾燥運転時に安全機能が作動してヒータ２８への通電が停止したとき、吸引ファン１８から吐出された浴室空気は排気口に２分間（一定時間）だけ送出され、この２分間の間は浴室２内の換気量が多くなり、その結果、浴室２内の温度を速やかに下げることができ、浴室１２内の湿度を下げることができる。
【００４１】
また、本実施の形態によれば、制御回路基板３４に設定部３７が接続されているので、この設定部３７に、浴室１２の床面積、高さ、容積等のサイズデータまたはそれに対応する所定条件を予め設定しておくことができる。制御回路基板３４にはサイズデータや所定条件に基づく風量や回転数や所定時間などのデータが記憶された記憶部（メモリ）３４Ａが設けられ、図示しない操作部より設定された値に基づき、記憶部３４Ａのデータに基づいて、吸引ファン１８から吐出された浴室空気を排気口２１側へ排出するための一定時間または風量等を浴室１２等のサイズに適した値または、それに対応する値に自動的に設定されるようになっている。
【００４２】
なお、設定部３７より設定されたデータとは、風量センサ、温度センサ、湿度センサなどの各種センサの検出結果に基づき、制御回路基板３４に設けられた演算部（図示省略）によって、設定値となるよう制御されるようにしてもよい。
【００４３】
また、所定条件とは、床面積や容積に対応した風量または、その風量に対応したファンの回転数などである。なお、所定条件は風量やファンの回転数に限られるものではない。
【００４４】
（実施の形態２）
次に、実施の形態２による浴室換気乾燥装置を図４および図５を用いて説明する。本実施の形態における浴室換気乾燥装置も間欠換気方式の乾燥運転モードの機能を有している。図４および図５において、ステップＳ１〜Ｓ１２およびステップＳ１７〜Ｓ１８は実施の形態１の場合と同様である。
【００４５】
暖房運転を行っている最中に、浴室１２内の温度が徐々に上昇して所定温度以上になったとき、ヒータ２８への通電を停止して（ステップＳ１２１）、ダンパー２７をダンパー位置Ａ２に設定する（ステップＳ１２２）。これにより、吸引ファン１８によって本体ケース１１内に吸い込まれ浴室空気は、送風路２０および排気風路２２を通り、さらにダクト３０を介して建物の外の外気中へ排出されるため、浴室１２内の温度を速やかに下げることができ、浴室１２内の湿度を下げることができる。
【００４６】
本実施の形態では、実施の形態１と異なり、吹出口３３からの吹出空気の温度が一定温度４０℃以下になるまで、ヒータ２８への通電停止の処理が実行される。（ステップＳ１２３）。ヒータ２８への通電停止の処理が終了したとき、処理はステップＳ１１に進む。
【００４７】
本実施の形態によれば、乾燥運転時に安全機能が作動してヒータ２８への通電が停止したとき、吹出口３３からの吹出空気の温度が４０℃以下に下がるまでの間、吸引ファン１８から吐出された浴室空気は排気口２２側に送出されるので、浴室１２内の換気量が多くなり、浴室１２内の温度を速やかに下げることができ、浴室１２内の湿度を下げることができる。
【００４８】
（実施の形態３）
次に、実施の形態３による浴室換気乾燥装置を図６および図７を用いて説明する。本実施の形態における浴室換気乾燥装置は分流方式の乾燥運転モードの機能を有している。
【００４９】
先ず、運転タイマを設定し（ステップＳ２１）、ファンモータ２５を回転させて吸引ファン１８を回転駆動させる（ステップＳ２２）。次に、ダンパー分流位置の設定、つまりダンパー２７をダンパー位置Ａ１とダンパー位置Ａ２の中間位置に設定し（ステップＳ２３）、さらにヒータ２８に通電する（ステップＳ２４）。そして、吸引ファン１８によって吸い込まれた浴室空気を、送風路２０から排気風路２２および循環風路２３に分流させる。これにより、循環風路２３側に分流した浴室空気はヒータ２８で暖められた後、吹出口３３から浴室１２内に供給され、一方、排気風路２２側に分流した浴室空気はダクト３０を介して建物の外の外気中へ排出されるので、浴室１２内に干された洗濯物を容易に乾燥させることができる。特に、浴室空気がヒータ２８で暖められているので、浴室空気の飽和水蒸気圧を上昇させることができ、飽和水蒸気圧の上昇で多量の水分を含んだ浴室空気が外気中に排出されるので、洗濯物を効率よく乾燥させることが可能である。
【００５０】
ヒータ２８に通電すると、浴室１２内の温度は徐々に上昇して所定温度以上になるので、この場合はヒータ２８へに通電を停止する必要がある。本実施の形態では、暖房運転時に吹出口３３での吹出し空気の温度が５０℃以上になったか否かを検出して（ステップＳ２５）、ヒータ２８への通電を制御している。
【００５１】
吹出し空気の温度が５０℃未満のときは、ステップＳ２１で設定した運転タイマが終了するまで、乾燥運転を実行する（ステップＳ２６）。ステップＳ２５において吹出し空気の温度が５０℃以上のときは、タイマｔ４を初期化するとともにスタートさせる（ステップＳ２７）。さらに、ヒータ２８への通電を停止して（ステップＳ２８）、ダンパー２７をダンパー位置Ａ２に設定する（ステップＳ２９）。これにより、吸引ファン１８によって本体ケース１１内に吸い込まれ浴室空気は、送風路２０および排気風路２２を通り、さらにダクト３０を介して建物の外の外気中へ排出されるため、浴室１２内の温度を速やかに下げることができる。ヒータ２８への通電停止を２分間実行し（ステップＳ３０）、その後、ヒータ２８への通電停止を再開し（ステップＳ３１）、処理をステップＳ２６に進める。
【００５２】
ステップＳ２６において運転タイマが終了と判断したときは、ヒータ２８への通電を停止する（ステップＳ３２）。次に、ダンパー２７をダンパー位置Ａ１に設定し（ステップＳ３３）、ファンモータ２５を停止して吸引ファン１８の回転を停止させる（ステップＳ３４）。
【００５３】
本実施の形態によれば、乾燥運転時に安全機能が作動してヒータ２８への通電が停止したとき、吸引ファン１８から吐出された浴室空気は排気口に２分間（一定時間）だけ送出され、この２分間の間は浴室２内の換気量が多くなり、その結果、浴室２内の温度を速やかに下げることができ、浴室１２内の湿度を下げることができる。
【００５４】
（実施の形態４）
次に、実施の形態４による浴室換気乾燥装置を図８および図９を用いて説明する。本実施の形態における浴室換気乾燥装置も分流方式の乾燥運転モードの機能を有している。図８および図９において、ステップＳ２１〜Ｓ２６およびステップＳ３２〜Ｓ３４は実施の形態３の場合と同様である。
【００５５】
暖房運転を行っている最中に、浴室１２内の温度が徐々に上昇し、ステップＳ２５において、吹出口３３での吹出し空気の温度が５０℃以上になったとき、ヒータ２８への通電を停止して（ステップＳ２５１）、ダンパー２７をダンパー位置Ａ２に設定する（ステップＳ２５２）。これにより、吸引ファン１８によって本体ケース１１内に吸い込まれ浴室空気は、送風路２０および排気風路２２を通り、さらにダクト３０を介して建物の外の外気中へ排出されるため、浴室１２内の温度を速やかに下げることができ、浴室１２内の湿度を下げることができる。
【００５６】
本実施の形態では、実施の形態３と異なり、吹出口３３からの吹出空気の温度が一定温度４０℃以下になるまで、ヒータ２８への通電停止の処理が実行される。（ステップＳ２５３）。その後、ヒータ２８への通電を再開し（ステップＳ２５４）、処理をステップＳ１１に進める。
【００５７】
本実施の形態によれば、乾燥運転時に安全機能が作動してヒータ２８への通電が停止したとき、吹出口３３からの吹出空気の温度が４０℃以下に下がるまでの間、吸引ファン１８から吐出された浴室空気は排気口２２側に送出されるので、浴室１２内の換気量が多くなり、浴室２内の温度を速やかに下げることができ、浴室１２内の湿度を下げることができる。
【００５８】
【発明の効果】
以上説明したように、本発明によれば、乾燥運転時に安全機能が作動してヒータへの通電を停止したとき、ファンから吐出された浴室の空気が排気口に送出されるので、換気量が増大し、浴室内の温度を速やかに下げることができ、浴室内の湿度を下げることができる。その結果、ヒータへの通電が比較的早く再開され、衣類等を乾燥させる際のロスタイムを最小限に抑えることが可能となる。
【図面の簡単な説明】
【図１】本発明に係る浴室換気乾燥装置の構成図である。
【図２】実施の形態１による乾燥運転モード時の動作を示すフローチャートである。
【図３】図２に続きを示すフローチャートである。
【図４】実施の形態２による乾燥運転モード時の動作を示すフローチャートである。
【図５】図４に続きを示すフローチャートである。
【図６】実施の形態３による乾燥運転モード時の動作を示すフローチャートである。
【図７】図６に続きを示すフローチャートである。
【図８】実施の形態４による乾燥運転モード時の動作を示すフローチャートである。
【図９】図８に続きを示すフローチャートである。
【図１０】暖房運転モード時または運転停止時のダンパー位置を示す図である。
【図１１】換気運転モード時のダンパー位置を示す図である。
【図１２】分流方式の乾燥運転モード時のダンパー位置を示す図である。
【符号の説明】
１０  浴室換気乾燥装置
１１  本体ケース
１２  浴室
１８  吸引ファン
２１  排気口
２５  ファンモータ
２７  ダンパー
２８  ヒータ
３２  吸込口
３３  吹出口
３４  制御回路基板（制御手段）
３５  温度センサ
３７  設定部
【図１】
2004301481.tif 000003
【図２】
2004301481.tif 000004
【図３】
2004301481.tif 000005
【図４】
2004301481.tif 000006
【図５】
2004301481.tif 000007
【図６】
2004301481.tif 000008
【図７】
2004301481.tif 000009
【図８】
2004301481.tif 000010
【図９】
2004301481.tif 000011
【図１０】
2004301481.tif 000012
【図１１】
2004301481.tif 000013
【図１２】
2004301481.tif 000014